(57)【要約】【課題】本発明は、取付作業が簡単となり、べかつきの抑制およびちり段差管理の容易化によって外観品質の向上が図れるフェンダパネルの取付構造を提供することにある。【解決手段】本発明は、フロントロアパネル２の車幅方向の側端部とエプロンパネル４の前端部には互いに重ね合わせて接合するフランジ２ａ，４ａがそれぞれ設けられ、かつフロントロアパネル２のフランジ２ａには背切部６が設けられており、フロントフェンダパネル８の前端部はフロントロアパネル２およびエプロンパネル４のフランジ２ａ，４ａを覆うように配置されていると共に、フロントフェンダパネル８の前端部の裏面側にはフロントロアパネル２の背切部６に差し込む差込片部１７を有する固定用ブラケット１１が取付けられている。【選択図】                図２
2004161122.tif 000002
【特許請求の範囲】
【請求項１】
フロントロアパネルの車幅方向の側端部とエプロンパネルの前端部には互いに重ね合わせて接合するフランジがそれぞれ設けられ、かつ前記フロントロアパネルのフランジには背切部が設けられており、フロントフェンダパネルの前端部は前記フロントロアパネルおよび前記エプロンパネルのフランジを覆うように配置されていると共に、前記フロントフェンダパネルの前端部の裏面側には前記フロントロアパネルの背切部に差し込む差込片部を有するブラケットが取付けられていることを特徴とするフェンダパネルの取付構造。
【請求項２】
フロントロアパネルの車幅方向の側端部とエプロンパネルの前端部には互いに重ね合わせて接合するフランジがそれぞれ設けられており、フロントフェンダパネルの前端部は前記フロントロアパネルおよび前記エプロンパネルのフランジを覆うように配置されていると共に、前記フロントフェンダパネルの前端部の先端には爪部が形成され、前記フロントロアパネルの側端部付近には前記爪部を挿入する挿入孔が設けられていることを特徴とするフェンダパネルの取付構造。
【請求項３】
前記フロントロアパネルおよび前記エプロンパネルのフランジには外側へ向かって突出する突起部を有するサイドメンバが接合され、前記サイドメンバの突起部は前記フロントフェンダパネルの裏面に当接して配置されていることを特徴とする請求項２に記載のフェンダパネルの取付構造。
【発明の詳細な説明】
【０００１】
【発明の属する技術分野】
本発明は、自動車等のフロントボデーに取付けられるフェンダパネルの取付構造に関するものである。
【０００２】
【従来の技術】
従来から、自動車のフロントフェンダパネルの取付構造としては、種々のものが提案されている（例えば、特許文献１、特許文献２参照）。
【０００３】
【特許文献１】
実開昭６３−３４６８８号公報
【特許文献２】
特開２００２−１６０６６８号公報
【０００４】
例えば、図６に示すような形状のフロントフェンダパネル５１では、保持用のボルト孔５２を有する７つの耳状片部５３が上下および前後の所定箇所に間隔を置いて設けられている。また、図７に示すようなフロントボデー５４側には、フロントフェンダパネル５１の耳状片部５３と対応して、７つの溶接ナット５５が取付けられている。なお、フロントフェンダパネル５１の上下方向の中間位置には、車両前方側へ向かって延びる延長部５１ａが形成されており、この延長部５１ａによって、車両内方側に配置されるフロントボデーサイドメンバ５６を覆うように構成されている。
したがって、フロントフェンダパネル５１は、各耳状片部５３を対応する溶接ナット５５に重ね合わせ、ボルト孔５２を介して図示しないボルトを溶接ナット５５に螺入させて締付けると、フロントボデー５４に固定されることになる。
【０００５】
【発明が解決しようとする課題】
しかしながら、上述した従来のフロントフェンダパネル５１の取付構造では、延長部５１ａの面剛性が低いので、「べかつき」および周辺部品とのちり段差による「外観不良」が発生するという問題を有していた。このような問題を解消するため、従来の構造にあっては、図８に示す如く、フロントボデーサイドメンバ５６に発泡剤シート５７が取付けられているが、前述の問題を解決する手段としては十分な効果を得ることが困難であると共に、発泡剤シート５７の追加に伴って、部品点数および組付け工数が増えるので、コスト高を招くおそれがあった。また、作業者は、組付け時において、フロントフェンダパネル５１を持ちながらボルト締め作業を行う必要があるので、作業が面倒で時間が掛かり、取付作業性が悪いという問題があった。しかも、フロントフェンダパネル５１とフロントボデー５４とのちり段差が出し難くいので、外観品質の向上を図ることが難しいという不具合を有していた。
【０００６】
本発明はこのような実状に鑑みてなされたものであって、その目的は、取付作業が簡単となり、べかつきの抑制およびちり段差管理の容易化によって外観品質の向上が図れるフェンダパネルの取付構造を提供することにある。
【０００７】
【課題を解決するための手段】
上記従来技術の有する課題を解決するために、本発明においては、フロントロアパネルの車幅方向の側端部とエプロンパネルの前端部には互いに重ね合わせて接合するフランジがそれぞれ設けられ、かつ前記フロントロアパネルのフランジには背切部が設けられており、フロントフェンダパネルの前端部は前記フロントロアパネルおよび前記エプロンパネルのフランジを覆うように配置されていると共に、前記フロントフェンダパネルの前端部の裏面側には前記フロントロアパネルの背切部に差し込む差込片部を有するブラケットが取付けられている。
【０００８】
また、本発明においては、フロントロアパネルの車幅方向の側端部とエプロンパネルの前端部には互いに重ね合わせて接合するフランジがそれぞれ設けられており、フロントフェンダパネルの前端部は前記フロントロアパネルおよび前記エプロンパネルのフランジを覆うように配置されていると共に、前記フロントフェンダパネルの前端部の先端には爪部が形成され、前記フロントロアパネルの側端部付近には前記爪部を挿入する挿入孔が設けられている。
そして、本発明において、前記フロントロアパネルおよび前記エプロンパネルのフランジには外側へ向かって突出する突起部を有するサイドメンバが接合され、前記サイドメンバの突起部は前記フロントフェンダパネルの裏面に当接して配置されている。
【０００９】
【発明の実施の形態】
以下、本発明を図示の実施の形態に基づいて詳細に説明する。
【００１０】
図１〜図４は、本発明に係るフェンダパネルの取付構造の実施の形態を示している。本実施形態の取付構造が適用される自動車のフロントボデー１は、図１〜図４に示す如く、車体前面下部を形成するフロントロアパネル２およびヘッドランプハウジング３と、これらフロントロアパネル２およびヘッドランプハウジング３の左右両側後方に配置されるエプロンパネル４およびフロントボデーサイドメンバ５とをボデー外側からこの順序で互いに合わせてスポット溶接で接合することにより構成されている。
【００１１】
このため、フロントロアパネル２の車幅方向の側端部とエプロンパネル４の前端部には、図３および図４に示す如く、互いに重ね合わせて溶接で接合するフランジ２ａ，４ａがそれぞれ設けられており、これらフランジ２ａ，４ａは、パネル端部を車両外側へ向かってほぼ直角に屈曲させることにより形成されている。しかも、フロントロアパネル２のフランジ２ａの上下方向の中間部分には、これを車両前方側へ立ち上げて成る背切部（ジョグル）６が設けられている。この背切部６は、後述のブラケットの耳状片部を差し込める大きさと位置で、当該耳状片部の板厚分に相当する高さに形成されている。なお、フロントボデー１側には、図１に示す如く、従来例と同様の７つの溶接ナット７が後述するフロントフェンダパネルの耳状片部と対応して取付けられている。
【００１２】
一方、上記フロントボデー１の左右両側面に取付けられるフロントフェンダパネル８は、図２および図３に示す如く、上下方向へ沿って延びる側面視で略長方形状に形成されており、ヘッドランプハウジング３と対応する車両前方側の上部寄りは、ヘッドランプハウジング３と干渉しないように大きく切欠かれている。そして、フロントフェンダパネル８の上下方向の中間に位置する前端部には、車両前方側へ向かって延びる延長部８ａが形成されており、フロントフェンダパネル８の前端部は、延長部８ａがフロントロアパネル２およびエプロンパネル４のフランジ２ａ，４ａを覆うように配置されている。
また、フロントフェンダパネル８の上下および前後の所定箇所には、図２に示す如く、フロントボデー１側の溶接ナット７と対応して、７つの耳状片部９が間隔を置いて設けられており、これら耳状片部９には、図示しないボルトを挿通させる保持用のボルト孔１０がそれぞれ穿設されている。しかも、延長部８ａの裏面側の上下端には、固定用ブラケット１１を取付けるための耳状突片部１２，１３がそれぞれ設けられている。これら耳状突片部１２，１３は、車両内側へ向かって突出しており、上下間で互いに対向して配置されている。
【００１３】
上記固定用ブラケット１１は、図２および図３に示す如く、側面視で横向きの略Ｔ字型に形成された支持本体１４を備えており、この支持本体１４は、上下方向の長さがフロントフェンダパネル８の耳状突片部１２，１３の上下間と対応する大きさで、車両前方への長さがフロントフェンダパネル８の延長部８ａよりも短くなるように形成されている。そして、支持本体１４には、各先端部を車両内側へ向かってほぼ直角に折り曲げた上下一対の耳状固定片部１５，１６と前方の耳状差込片部１７とが形成されている。
固定用ブラケット１１は、上下一対の耳状固定片部１５，１６をフロントフェンダパネル８の耳状突片部１２，１３の上下間に配置して重ね合わせ、それぞれ溶接で接合することによってフロントフェンダパネル８に取付けられるようになっている。また、前方の耳状差込片部１７は、フロントボデー１側の合わせ面に位置する背切部６に差し込まれて、固定されるようになっている。
【００１４】
本発明の実施形態の取付構造によってフロントフェンダパネル８をフロントボデー１に取付けるには、先ず、図２に示す状態にある固定用ブラケット１１の上下一対の耳状固定片部１５，１６をフロントフェンダパネル８の耳状突片部１２，１３の上下間に入れて当該耳状突片部１２，１３により挟み込み、スポット溶接によって接合し、固定用ブラケット１１をフロントフェンダパネル８の延長部８ａの裏面側に固定する。
次いで、フロントフェンダパネル８を持ちながら、固定用ブラケット１１の耳状差込片部１７をフロントロアパネル２の背切部６に差し込むと共に、各耳状片部９を対応するフロントボデー１側の溶接ナット７に合わせ、フロントフェンダパネル８を一旦仮保持する。その後、図示しないボルトにより各耳状片部９を溶接ナット７に締付けて固定すれば、フロントフェンダパネル８はフロントボデー１に取付けられることになる（図３参照）。
【００１５】
本発明の実施形態に係るフロントフェンダパネル８の取付構造では、上下一対の耳状固定片部１５，１６を耳状突片部１２，１３にスポット溶接にて接合することにより固定用ブラケット１１をフロントフェンダパネル８の延長部８ａの裏面側に固定しているため、当該延長部８ａの面剛性が高まり、当該延長部８ａのべかつきを抑制することができる。また、本実施形態の取付構造では、固定用ブラケット１１の耳状差込片部１７をフロントロアパネル２の背切部６に差し込むことによってフロントフェンダパネル８の仮保持が可能となるため、作業者はフロントフェンダパネル８から手を離してボルトの締付け作業を行うことができ、作業性の向上を図ることができる。さらに、本実施形態の取付構造では、固定用ブラケット１１の耳状差込片部１７とフロントロアパネル２の背切部６との係合作用により、フロントフェンダパネル８とフロントロアパネル２とのちり段差（図３中のＸ部）の管理が容易となるため、両パネルの段差を解消でき、外観品質を向上させることができる。
【００１６】
図５は、本発明に係るフェンダパネルの取付構造の他の実施の形態を示している。本実施形態の取付構造においては、図５に示す如く、自動車のフロントボデー２１を構成するフロントロアパネル２の側端部のフランジ２ａの付近に挿入孔２２が配設されていると共に、フロントフェンダパネル８の延長部８ａの先端に爪部２３が形成されている。この爪部２３は、延長部８ａの先端をフロントフェンダパネル８の裏側（車両後方側）へ向かって屈曲させ、更に車両内側へ向かってほぼ直角に折り返すことにより形成されている。
また、フロントボデーサイドメンバ５の前後方向の中間部分には、車両外側へ向かって突出する断面半円弧状の突起部２４が設けられており、この突起部２４は、先端がフロントフェンダパネル８の裏面に当接すべく配置されている。その他の構成は、上記実施形態と同様である。
【００１７】
本発明の実施形態の取付構造によってフロントフェンダパネル８をフロントボデー２１に取付けるには、先ず、フロントフェンダパネル８を持ちながら、延長部８ａの爪部２３をフロントロアパネル２の挿入孔２２に挿入して引っ掛けると共に、各耳状片部９を対応するフロントボデー２１側の溶接ナット７に合わせ、フロントフェンダパネル８を一旦仮保持する。その後、図示しないボルトにより各耳状片部９を溶接ナット７に締付けて固定すれば、フロントフェンダパネル８は、裏面にフロントボデーサイドメンバ５の突起部２４が当接した状態で、フロントボデー２１に取付けられることになる（図５参照）。
【００１８】
したがって、本実施形態に係るフロントフェンダパネル８の取付構造では、固定用のブラケットを用いることなく、延長部８ａの爪部２３をフロントロアパネル２の挿入孔２２に挿入することによってフロントフェンダパネル８の仮保持が可能となるため、上記実施形態と同様、作業者はフロントフェンダパネル８から手を離してボルトの締付け作業を行うことができ、作業性の向上を図ることができると共に、部品点数および組付工数の削減によりコストダウンを期待できる。さらに、本実施形態の取付構造では、延長部８ａの爪部２３とフロントロアパネル２の挿入孔２２との係合作用により、フロントフェンダパネル８とフロントロアパネル２とのちり段差（図５中のＹ部）の管理が容易となるため、より簡単な構造にて両パネルの段差を解消でき、外観品質を向上させることができる。それに加えて、取付けた状態では、フロントボデーサイドメンバ５の突起部２４がフロントフェンダパネル８の裏面に当接しているため、簡単な構造にてフロントフェンダパネル８のべかつきを抑制することができる。
【００１９】
以上、本発明の実施の形態につき述べたが、本発明は既述の実施の形態に限定されるものではなく、本発明の技術的思想に基づいて各種の変形および変更が可能である。
【００２０】
【発明の効果】
上述の如く、本発明に係るフェンダパネルの取付構造は、フロントロアパネルの車幅方向の側端部とエプロンパネルの前端部には互いに重ね合わせて接合するフランジがそれぞれ設けられ、かつ前記フロントロアパネルのフランジには背切部が設けられており、フロントフェンダパネルの前端部は前記フロントロアパネルおよび前記エプロンパネルのフランジを覆うように配置されていると共に、前記フロントフェンダパネルの前端部の裏面側には前記フロントロアパネルの背切部に差し込む差込片部を有するブラケットが取付けられているので、フロントフェンダパネルとフロントロアパネルとのちり段差の管理を容易に行うことができ、両パネルの段差解消によって外観品質の向上を図ることができる。また、本発明の取付構造では、ブラケットによってフロントフェンダパネルの前端部の面剛性が高められることになるので、フロントフェンダパネルのべかつきを抑制することができる。さらに、本発明の取付構造では、フロントロアパネルの背切部にブラケットの差込片部を差し込むことによってフロントフェンダパネルの仮保持が可能となるので、ボルト締め作業が簡単となり、取付作業性を向上させることができる。
【００２１】
また、本発明に係るフェンダパネルの取付構造は、フロントロアパネルの車幅方向の側端部とエプロンパネルの前端部には互いに重ね合わせて接合するフランジがそれぞれ設けられており、フロントフェンダパネルの前端部は前記フロントロアパネルおよび前記エプロンパネルのフランジを覆うように配置されていると共に、前記フロントフェンダパネルの前端部の先端には爪部が形成され、前記フロントロアパネルの側端部付近には前記爪部を挿入する挿入孔が設けられているので、上記発明と同様の効果が得られる上、部品点数および組付工数の削減によって更なるコストダウンを図ることができる。
そして、本発明のフェンダパネルの取付構造において、フロントロアパネルおよびエプロンパネルのフランジに外側へ向かって突出する突起部を有するサイドメンバを接合し、このサイドメンバの突起部をフロントフェンダパネルの裏面に当接して配置すれば、より簡単な構造にてフロントフェンダパネルのべかつきを抑制することができる。
【図面の簡単な説明】
【図１】本発明の実施形態に係るフェンダパネルの取付構造が適用された自動車のフロントボデーを示す斜視図である。
【図２】本発明の実施形態に係るフロントフェンダパネルをフロントボデー側に取付ける前の状態を示す斜視図である。
【図３】本発明の実施形態に係るフロントフェンダパネルをフロントボデーに取付けた後の状態を示すものであり、図２のＡ−Ａ線断面図である。
【図４】本発明の実施形態に係るフロントボデーを構成するフロントロアパネル、ヘッドランプハウジング、エプロンパネルおよびフロントボデーサイドメンバを組付ける前の状態を示す斜視図である。
【図５】本発明の他の実施形態に係るフロントフェンダパネルをフロントボデーに取付けた後の状態を示すものであり、図２のＡ−Ａ線断面図である。
【図６】従来の取付構造によってフロントボデーに取付けられるフロントフェンダパネルを示す斜視図である。
【図７】従来の取付構造によってフロントフェンダパネルが取付けられるフロントボデーの一部を示す斜視図である。
【図８】他の従来の取付構造によってフロントフェンダパネルが取付けられるフロントボデーの一部を示す斜視図である。
【符号の説明】
１，２１  フロントボデー
２  フロントロアパネル
２ａ  フランジ
３  ヘッドランプハウジング
４  エプロンパネル
４ａ  フランジ
５  フロントボデーサイドメンバ
６  背切部
７  溶接ナット
８  フロントフェンダパネル
８ａ  延長部
９  耳状片部
１０  ボルト孔
１１  固定用ブラケット
１２，１３  耳状突片部
１４  支持本体
１５，１６  耳状固定片部
１７  耳状差込片部
２２  挿入孔
２３  爪部
２４  突起部
【図１】
2004161122.tif 000003
【図２】
2004161122.tif 000004
【図３】
2004161122.tif 000005
【図４】
2004161122.tif 000006
【図５】
2004161122.tif 000007
【図６】
2004161122.tif 000008
【図７】
2004161122.tif 000009
【図８】
2004161122.tif 000010